(57)【要約】飲料用カップ（３０）と、前記カップ（３０）内の閉鎖区画における、前記飲料の調製に用いられる不融性物質と、前記飲料用カップ（３０）のための飲料通過蓋（１）であって、前記飲料から前記不融性物質をろ過して除去するためのフィルターを有する蓋と、を備えるキット。前記飲料通過蓋（１）は、蓋本体（２）であって、前記蓋（１）が前記飲料用カップ（３０）上にある場合に、飲料を飲むためにそこを通して飲料（４０）が蓋（１）を出ていくことが可能な、前記蓋本体に画定された飲料通過開口（５）を有する蓋本体を備える。前記飲料通過開口（５）は、少なくとも２０の開口が画定された前記蓋（１）の一領域を備え、前記開口は、ろ過物質（５０）の通過を阻止するが、前記蓋を通して飲料を飲むことを可能とするのに十分な大きさである。【選択図】図１
2014508690.tif 000002
【特許請求の範囲】
【請求項１】
飲料用カップのための飲料通過蓋であって、
ａ．蓋本体と、
ｂ．前記蓋が飲料用カップ上にある場合に、飲料を飲むためにそこを通して飲料が前記蓋から出ることが可能な、前記蓋本体内に画定された飲料通過開口と、を備え、
ｃ．前記飲料通過開口は、少なくとも２０の開口が画定された前記蓋の一領域を備え、前記開口は、ろ過物質の通過を阻止するが、前記蓋を通して飲料を飲むことを可能とするのに十分な大きさであることを特徴とする、飲料用カップのための飲料通過蓋。
【請求項２】
前記蓋に、少なくとも４０の、好ましくは少なくとも５０の開口が設けられている、請求項１に記載の蓋。
【請求項３】
前記開口が設けられる前記蓋の前記領域が陥凹領域を備える、請求項１又は２に記載の蓋。
【請求項４】
前記飲料通過開口が、前記陥凹領域の周囲に境界フレームを備える、請求項３に記載の蓋。
【請求項５】
前記境界フレームが、飲料からのろ過物質の通過を阻止するが、前記蓋を通して前記飲料を飲むことを可能とするのに十分な大きさの開口を備える、請求項４に記載の蓋。
【請求項６】
前記ろ過物質が茶葉であり、前記蓋は、前記飲料用カップ内のほぐれた茶葉からの茶葉残留物をろ過して除去するように構成される、請求項１〜５のいずれか１項に記載の蓋。
【請求項７】
前記ろ過物質が粉状コーヒーであり、前記蓋は、前記飲料用カップ内のほぐれた粉状コーヒー豆からのコーヒー残留物をろ過して除去するように構成される、請求項１〜６のいずれか１項に記載の蓋。
【請求項８】
飲料用カップのための蓋であって、
ａ．蓋本体と、
ｂ．前記蓋が飲料用カップ上にある場合に、飲料を飲むためにそこを通して飲料が前記蓋から出ることが可能な、前記蓋本体上に画定された飲料用開口と、
ｃ．前記飲料用開口に対して隆起した前記蓋上の飲用リムと、を備え、
ｄ．飲用の使用において、前記カップが飲料を飲むときの位置に保持されている場合に、前記飲料が前記飲料用開口を出た後、前記リムに到達する前に、使用者が前記飲料を視認することができるように、前記飲料が、前記飲料用開口を通って出ていき、前記蓋に沿って前記飲用リムに向かって流れるように蓋が構成されることを特徴とする蓋。
【請求項９】
前記飲料が飲まれる前にこれをろ過するための、前記飲料用開口に関連付けられたフィルターを更に備える、請求項８に記載の蓋。
【請求項１０】
前記蓋が、請求項１〜７のいずれか１項において定義された通りの、請求項８又は９に記載の蓋。
【請求項１１】
ａ．飲料用カップと、
ｂ．前記カップ内の閉鎖区画内の、飲料の調製に用いられる不融性物質と、
ｃ．前記飲料用カップのための飲料通過蓋であって、前記飲料から不融性物質をろ過して除去するためのフィルターを有する飲料通過蓋と、
を備えるキット。
【請求項１２】
前記閉鎖区画が、気密の剥離式部材で閉鎖される、請求項１１に記載のキット。
【請求項１３】
前記区画が、前記カップ内に挿入されたタブ型容器を備える、請求項１１又は１２に記載のキット。
【請求項１４】
前記タブ型容器は、前記カップの底に収まる寸法とされる、請求項１１〜１３のいずれか１項に記載のキット。
【請求項１５】
前記タブ型容器は、周囲が前記カップの内壁まで及んで内壁と隣接するタブ口を有する、請求項１４に記載のキット。
【請求項１６】
請求項１〜１０のいずれか１項の蓋を備える、請求項１１〜１５のいずれか１項に記載のキット。
【請求項１７】
飲料の調製に用いられる前記不融性物質が茶葉又は粉状コーヒーである、請求項１６に記載のキット。
【請求項１８】
カップ上に請求項１〜１０のいずれか１項の蓋を有する、請求項１１〜１５のいずれか１項の組み合わされたキットを備えるアセンブリ。
【請求項１９】
ａ．飲料用カップを提供する工程と、
ｂ．前記カップ内の閉鎖区画において、飲料の調製に用いられる不融性物質を提供する工程と、
ｃ．前記閉鎖区画を開放する工程と、
ｄ．前記飲料を作るために液体に前記物質を浸出させる工程と、
ｅ．前記飲料用カップ上に、前記飲料から不融性物質をろ過して除去するためのフィルターを有する飲料通過蓋を提供する工程と、
を含む飲料の調製方法。
【請求項２０】
前記カップ及び蓋が、請求項１１〜１７のいずれか１項によるキットの形を取る、請求項１９に記載の方法。
【発明の詳細な説明】
【技術分野】
【０００１】
本発明は飲料用容器に関し、具体的には、カップと、カップ上の飲料通過蓋と、を有する飲料用容器に関する。特に関心を向けるのは、使い捨てカップである。多くの場合、使い捨てカップは、例えば店舗、航空機、劇場や映画館、スタジアムといった公共の場所等において、飲料の販売と共に配布される。飲料は、大抵は紅茶又はコーヒーである。典型的には、カップは持ち帰り用使い捨てカップとして設計され、その蓋は運搬の途中に液体の漏洩を防ぐためのものである。
【背景技術】
【０００２】
多くの種類の飲料用容器が存在している。これには、蓋に飲み口やノズルを有し、これらを通して飲むための液体を吸い込まなければならないものを含む、様々な目的のために設計された容器が含まれる。こうした構成は、典型的には、特に漏れを回避するための乳幼児用カップにおいて用いられる。
【０００３】
米国特許第５，６５７，８９８号は、容器内の液体と接触しない引き紐によってティーバッグを吊るすための機構を有する、飲料用カップのための飲料通過（ｄｒｉｎｋ−ｔｈｒｏｕｇｈ）蓋を説明する。同様のシステムが、米国特許第７，８０６，０４４号において説明されている。
【０００４】
米国特許第６，０７６，４５０号は、その中に粉状コーヒーが設置されるポケットを有する、飲料用カップのための飲料通過蓋を開示する。このポケットの上方にはメッシュで形成された上部フィルターが、下方には紙で形成された下部フィルターがある。蓋の最上部、ひいては上部メッシュフィルターを通して湯が注ぎ込まれ、コーヒーを通り抜け、次いで、下部フィルターに染み透り、容器へと入る。この構成は、コーヒーが湯の中に浸出することを可能とするが、粒子状物質は蓋内に保持されるので、これらがカップ内に入り込むことを防止する。
【０００５】
米国特許出願公開第２００８／００３５６５２号は、フィルタースクリーンを有する使い捨ての飲料通過蓋を提供する。このフィルターは、蓋の底面に取り付けられ、蓋の底面の全域に亘って延在するため、全ての液体は、蓋上の相対的に大きな飲料用開口に到達する前にろ過される。
【発明の概要】
【発明が解決しようとする課題】
【０００６】
一般に、こうした蓋において、使用者が飲料を飲む間に零してしまうことはしばしば起こる。そのため、使用者が飲んでいる時に飲料を零してしまう傾向を低減する蓋を提供することは望ましいことである。
【０００７】
これらの先行技術にもかかわらず、容器内の不融性物質から飲料の調製を可能とする飲料用容器、及びこの容器用の代替の蓋を提供することは望ましいことである。
【課題を解決するための手段】
【０００８】
一態様において、本発明は、
（ａ）飲料用カップと、
（ｂ）カップ内の閉鎖区画における、飲料の調製に用いられる不融性物質と、
（ｃ）飲料用カップのための飲料通過蓋であって、飲料から不融性物質をろ過して除去するためのフィルターを有する蓋と、
を備えるキットを提供する。
【０００９】
これは、使い捨てカップにおいてではあるが、作りたての品質の飲料を提供する。
【００１０】
閉鎖区画は、ホイルなどの剥ぎ取り式カバーのような気密の剥離式部材で閉鎖されうる。
【００１１】
この区画は、カップ内に挿入されたタブ型容器であってよく、選択的に、カップの底に収まるような寸法とされる。望ましくは、タブ型容器はカップの底に接続され、周囲がカップの内壁まで及んで内壁と隣接するタブ口を有する。
【００１２】
飲料通過蓋は、
蓋本体と、
蓋が飲料用カップ上にある場合に、飲料を飲むためにそこを通して飲料が蓋から出ることが可能な、蓋本体に画定された飲料通過開口と、を備えうるものであり、
飲料通過開口は、少なくとも２０の開口が画定された蓋の一領域を備え、これらの開口は、飲料用カップからのろ過物質の通過を阻止するが、蓋を通して飲料を飲むことを可能とするのに十分な大きさであることを特徴とする。
【００１３】
本発明の利点は、飲料が飲まれる前にろ過されるように、フィルターが飲料通過蓋に関連付けられていることである。これは、茶葉、粉状コーヒーなどといった不溶性物質から調製される飲料が、飲料用カップ内で作られることが可能であることを意味する。その後、この飲料用カップを使用して飲料を飲む人物の口に粒子状物質が入ってしまうことを心配する必要は無い。これは、調製したての飲料、特に調整したてのコーヒーが可能であることを意味する。これにより、ティーバッグや、乾燥させたコーヒーにより作られる（時に「インスタントコーヒー」と呼ばれる）コーヒーパウダーといった品の使用の必要性が除去される。フィルターは、蓋の一部として一体的に形成される。追加的な構成部品を蓋に取り付ける必要は無い。望ましくは、蓋はプラスチック材料で作られる。例えば、熱成形プロセスを用いることが可能である。開口は、蓋が形成される際に、又は後続の押し抜き工程のような開口形成工程において、形成されうる。
【００１４】
開口は、このカップから飲料を飲む人物が、蓋を通して飲料を口に入れるために、カップに対して実質的な吸引圧力を加えずに済むようにするのに十分な大きさ及び分布を有する。このようにして、この蓋は、蓋のフィルターが飲料をろ過すると同時に使用者が蓋を通して飲料を飲むことができるものとして構成される。
【００１５】
望ましくは少なくとも４０の、好ましくは少なくとも５０の開口が形成される。いかなる場合にも、開口の数が多くなるほど、より多くの液体を飲むことが可能となる。
【００１６】
望ましくは、この飲料通過開口は、そこを通して使用者が飲料を飲むマウスピースの一部を形成する。
【００１７】
適切には、開口が設けられる蓋の領域は、どこに口をつけるかについての使用者に対する視覚的標識を備える。これは、望ましくは陥凹領域であり、これにより開口を陥凹領域内に設けることができる。飲料通過開口が陥凹領域の周囲に境界フレームを備えることは望ましい。これもやはり、飲料通過開口を強調する。
【００１８】
この境界フレームは、同様に飲料をろ過し、飲料用容器からのろ過物質の通過を阻止するが、蓋を通して飲料を飲むことを可能とするために十分な大きさである開口を備えうる。
【００１９】
ろ過物質は、飲料の形成における構成要素である任意の不溶性物質、例えば茶葉でありうる。このような場合、蓋は、飲料内でほぐれた茶葉からの茶葉残留物をろ過して除去するように構成される。したがって、新鮮な茶葉を用いることが可能であり、またこれらはほぐれた状態で、すなわち飲料用カップ内を自由に循環できる状態で使用されることが可能である。いかなる他のろ過器、フィルター、又は茶葉用のいかなる種類のトラップも必要とされない。
【００２０】
ろ過物質が粉状コーヒーである場合、蓋は、飲料用カップ内の粉状コーヒー豆からのコーヒー残留物をろ過して除去するように構成される。この場合もやはり、粒子状物質を捕捉するためのいかなる他の手段も必要とされない。
【００２１】
また、本発明は、
蓋本体と、
蓋が飲料用カップ上にある場合に、飲料を飲むためにそこを通して飲料が蓋から出ることが可能な、蓋本体上に画定された飲料用開口と、
飲料用開口に対して隆起した飲料用開口上の飲用リムと、を備え、
飲用の使用において、カップが飲料を飲むときの位置に保持されている場合に、飲料が飲料用開口を出た後、リムに到達する前に、使用者が飲料を視認することができるように、飲料が飲料用開口を通って出ていき、蓋に沿って飲用リムに向かって流れるように蓋が構成されることを特徴とする蓋に関する。
【００２２】
こうした構成は、使用者が飲料を零す傾向を著しく減少させるため、非常に望ましい。具体的には、飲料が蓋から外に流れる際に、使用者がそれを視認することが可能なため、使用者が飲料を零すことは少ない。とりわけ従来の蓋の場合、通常、使用者が液体を飲む前にそれを視認することは不可能である。これは、使用者が液体のいくらかを見逃してしまう、及び／又は一度に多すぎる量の液体を注ぎ込んでしまい、結果として零してしまう傾向がより高いということを意味する。
【００２３】
望ましくは、飲料用開口は、蓋の外側リムよりも低い位置である蓋の一領域に形成される。望ましくは、飲用リムの壁状部分は、蓋の外側リムに対する低位置に向かって下方に伸びる。この低位置は、飲料用開口に隣接する位置とすることが可能であり、及び／又は、開口は、壁状部分の中へと延在することが可能である。飲料用開口が一連の開口を備える場合、それら開口の１つ又は複数は、壁状部分に形成されることが可能である。
【００２４】
この壁状部分は、飲用の使用において、それに沿って飲料が飲用リムの上部に向かって流れる流動床（ｆｌｕｉｄ  ｂｅｄ）を形成する。
【００２５】
望ましくは、蓋は、飲料が飲まれる前にこれをろ過するための、飲料用開口に関連付けられたフィルターを更に備える。これは、この蓋が、液体中に不溶性粒子、例えば茶葉又は粉状コーヒーが存在する場合に使用可能であることを意味する。
【００２６】
望ましくは、本発明の両方の態様が、一つの実施形態において組み合わされうる。これは、本発明のキットにおいて、飲用の使用において、（カップが飲料を飲むときの位置に保持され、蓋がカップ上にあり、カップ中に飲料が存在する場合に）飲料が飲料用開口を出た後、リムに到達する前に、使用者が飲料を視認することができるように、飲料が飲料用開口を通って出ていき、蓋に沿って飲用リムに向かって流れるように蓋が構成されうるものであり、この蓋は、この蓋が飲料用カップ上にある場合に、飲料を飲むためにそこを通して飲料が蓋から出ることが可能な、蓋本体に画定された飲料通過開口を追加的に有し、この飲料通過開口は、少なくとも２０の開口が画定された蓋の一領域を備え、これらの開口は、飲料からのろ過物質の通過を阻止するが、蓋を通して飲料を飲むことを可能とするのに十分な大きさであることを特徴としうることを意味する。
【００２７】
当業者は、本発明の開口の機能を実行できる開口の数、形状、大きさ、及び分布についての置換を理解するであろう。開口は、大きさ、形状、又は分布において一様である必要は無い。例えば直径５０〜３００ミクロンの開口、例えば直径７５〜２７５ミクロンの開口、例えば直径１００〜２５０ミクロンの開口などが設けられうる。数に関しては、通常は少なくとも５０の、例えば１００の、例えば少なくとも１５０の、典型的には約２００の開口が、蓋に存在しうる。隣接する開口間の距離は、少なくとも２ミクロン、例えば少なくとも６ミクロン、典型的には１０ミクロンでありうる。用いられる開口が、大きさ／形状において一様でない場合、及び／又は隣接する開口間の距離が一様でない場合、これらの数値は、開口及び／又は距離の平均値を表しうる。フィルターは、流体と開口の間の分子間力が、カップが飲料を飲むときの位置に保持されたときに、流体が開口を通過することを可能とするのに十分である材料で構成されうる。例えば、材料はナイロンプラスチック材料でありうる。
【００２８】
本発明は、本発明のキットを組み合わせた場合に形成されるアセンブリを含む。また、本発明は、組み合わされた本発明のキットを備える飲料用カップアセンブリも提供する。
【００２９】
上述の通り、飲料用カップは、中に飲料の調製に用いられる物質が保持され、飲料の調製の間の物質の使用に対しては開放されている、封止された区画を備える。これが、カップの内容物を、使用のときまで新鮮に保つ。この飲料の調製に用いられる物質は、カップのろ過物質となる固体残留物をあとに残す任意の物質でありうる。ろ過物質は、例えば茶葉や粉状コーヒーでありうる。
【００３０】
また、本発明は、
（ａ）飲料用カップを提供する工程と、
（ｂ）カップ内の閉鎖区画において、飲料の調製に用いられる不融性物質を提供する工程と、
（ｃ）閉鎖区画を開放する工程と、
（ｄ）飲料を作るために液体に物質を浸出させる工程と、
（ｅ）飲料用カップ上に、飲料から不融性物質をろ過して除去するためのフィルターを有する飲料通過蓋を提供する工程と、
を含む飲料の調製方法にも関する。
【００３１】
本方法において、カップ及び蓋は、本発明のキットの形を取りうる。
【００３２】
本方法において、蓋は、上述のろ過機能付蓋を形成するために、フィルターを組み込みうる。
【００３３】
本飲料用カップ及び蓋は、典型的には、本発明の飲料用カップアセンブリを共に形成しうる。
【発明の効果】
【００３４】
このようにして、本発明は、事前に準備されることが可能であり、カップ及び蓋が、これらが最終的に使用されるよりもかなり以前に形成されうるにもかかわらず、任意の「作りたて」の飲料の調製が可能な飲料用カップ、特に使い捨てタイプの飲料用カップを備えるキットを提供する。このようにして、本発明は、本発明の蓋と、蓋が適合する飲料用カップと、カップ内に封止された、茶葉又は粉状コーヒーといった固体の飲料用物質と、を備えるアセンブリを提供する。
【００３５】
本発明の実施形態は、例示のみを目的として、以下の通りの添付図面を参照しながら説明される。
【図面の簡単な説明】
【００３６】
【図１】飲料通過開口を備える本発明のキットの飲料通過蓋の、上方からの斜視図である。
【図２】図１の飲料通過蓋の下方からの斜視図である。
【図３】Ａ−Ａ線に沿った、図１の蓋の側面断面図である。
【図４】蓋の飲料通過開口を形成する開口を示す、図１の蓋の拡大部分斜視図である。
【図５】代替の蓋構造を示す、図３に類似の側面断面図である。
【図６】図５の蓋の拡大部分断面図である。
【図７】飲料通過開口の代替の構成の拡大部分斜視図である。
【図８】対となるカップ及び蓋を備える組み合わされたキットの斜視図である。
【図９】カップ内の飲料を示す、図８のアセンブリの側面断面図である。
【図１０】使用者によりカップから飲まれる飲料を示す、図９に類似の図である。
【図１１】飲料通過開口を備える本発明の代替の飲料通過蓋の、上方からの斜視図である。
【図１２】図１１の蓋の下方からの斜視図である。
【図１３】本発明の代替の飲料通過蓋の側面断面図である。
【図１４】図１０〜図１２の蓋のカップ上での使用、及び使用者によりカップから飲まれる飲料を示す図である。
【発明を実施するための形態】
【００３７】
これらの図面は本質的に概略的なものであり、正確な縮尺ではないものでありうることに留意されたい。例えば、図示される開口７は、例示目的の為に、個数が増減する。
【００３８】
図１及び図２は、飲料用カップ３０のための飲料通過蓋１を示す（図８及び図９を参照）。蓋１は、蓋本体２を有する。飲料用カップ３０及び蓋１は、本発明のキットを形成する。蓋本体２は、熱成形プロセスのような適切な成形プロセスによって蓋の形に形成された、プラスチックの単一部品である。飲料通過開口５は蓋本体２内に画定され、蓋が飲料用カップ３０上にある場合に、飲料を飲むためにこれを通して飲料４０（図９を参照）が蓋１を出ていくことが可能である。
【００３９】
この飲料通過開口５は、その中に、例えば少なくとも２０の開口、例えば少なくとも３０の開口、少なくとも４０及び５０以上の開口７を含む多数の開口７が画定される蓋上の領域６を備える。開口７の各々は、ろ過物質５０の通過を阻止するが、蓋を通して飲料４０を飲むことを可能とするのに十分な大きさである（ろ過物質５０は飲料中に存在し、このようにして飲料が飲まれる前に飲料から取り除かれる）。ろ過物質５０は、典型的には固体の不溶性物質であり、多くの場合、粉状コーヒー又は茶葉のような、熱湯による浸出にさらされた物質である。
【００４０】
この蓋は、図８及び図９において示されるアセンブリを形成するために、飲料用カップ３０の最上部における押し込み式のシーリングとなるように適合させた、周辺リム又はスカート９を備える。
【００４１】
また、蓋１は、その中に飲用リム１０を形成する。飲用リム１０は、蓋本体に対して隆起しており、上部接続壁１２によって接続される対向する直立の壁、すなわち外壁１１及び内壁１３を備える。蓋の他の全ての特徴と同様に、飲用リム１０は、蓋１と一体的に形成される。
【００４２】
また、更なる三日月形の隆起領域１６も蓋１内に形成される。通気孔２０が蓋１の隆起領域１６内に設けられる。三日月形の壁１７が、隆起領域１６と、隆起領域１６と飲用リム１０の間に形成された陥凹領域１８と、を接続する。
【００４３】
蓋１は更に、蓋１を通り抜けて延在し、ミルクや、砂糖などの甘味料のような物質の飲料への追加を可能とする追加的な長尺の落とし口３５を備える。落とし口３５は、飲料を飲むための標準的なカップの位置において飲料が落とし口から出ていかないように、開口７からは間隔をあけられ、蓋から（カップの方向に）十分離れて延在する。落とし口３５は、例えば、シールのような取り外し可能な封止材によって封止されうる。落とし口３５が開放でない場合があるため、通気孔２０を設けることは望ましい。開放である場合、落とし口３５が通気孔として機能しうることが理解されるであろう。
【００４４】
蓋１を通して飲料を飲むために、使用者は、自身の口が領域６の周囲に位置し、開口７を通して液体を飲むように、蓋上に自身の唇を置く。飲料の中に不溶性の粒子状物質が存在する場合であっても、開口７のろ過効果により、それらはろ過物質としてカップ３０内に保持される。
【００４５】
図３は、飲料が飲まれるときの飲料及び空気の流れを示す。矢印２２は、飲料がどのように開口７を通って蓋から出るかを示す。矢印２３は、出ていく飲料の動きによって吸引される空気を示す。
【００４６】
図４は、蓋１上に画定される開口７の拡大図を示す。任意の開口の適切な配置が用いられてよく、この配置又は開口が任意の特定の形状を有さなければならないということもない。複数の開口は、全てが同じ大きさ又は形状である必要は無い。
【００４７】
図５は、代替の蓋構造、具体的には異なる飲料通過開口構造を示す、図３に類似の側面断面図である。図５において、蓋１は、その中に一体的に形成された、逆さのノズル２５の形で窪んだ領域６を有する。ノズル２５の側壁２６に画定されるのが開口７である。ここでも、矢印２２は、典型的な飲料通過開口構造を通した飲料の流出を示す。その他の点では、蓋１は先の図面に示されたものと類似の構造である。図６は、図５の蓋の拡大部分断面図であり、具体的には逆さノズル２５の拡大断面図である。
【００４８】
図７は、飲料通過開口の代替の構成、具体的には、異なる形状及び大きさであり、その中に画定される開口７を有する逆さノズル２５の拡大部分斜視図である。図８は、対となる本発明のカップ３０及び蓋１を備えるアセンブリの斜視図である。図９は、カップ３０内の飲料を示す、図８のアセンブリの側面断面図である。この実施形態において、カップ３０は、粉状コーヒー又は茶葉のような物質５０がその中に保持される区画６０を更に備える。典型的には、区画６０は、例えば剥ぎ取り式のホイルのような取り外し可能なカバーを用いて封止・閉鎖される。使用時、物質５０を露出させるため、このホイルは引き剥がされる。この区画は、典型的には、カップの底に挿入されるタブ型容器によって形成される。熱湯と、物質５０から抽出される成分と、実際に加えられる任意の追加成分との合成である飲料４０を作るために、熱湯が加えられる。したがって、この飲料は作りたてのものであり、淹れたての茶又はコーヒーの品質を有するであろう。しかしながら、今や物質５０はほぐれており、（矢印５１で示されるように）カップ内を自由に移動でき、特に蓋１の飲料用開口に向かって自由に移動できるため、固体残留物が飲む人の口に到達してしまうのを防ぐのは、開口７のろ過作用のみである。このことは、使用者によりカップから飲まれる飲料４０（矢印７１を参照）を更に示す、図９に類似の図である図１０において最もよく確認される。今や飲料全体に拡散した物質５０は、使用者７０の口に到達するのを妨げられている。
【００４９】
図１１及び図１２はそれぞれ、飲料通過開口を備える本発明の代替の飲料通過蓋の上方及び下方からの斜視図であり、図１３はその側面断面図である。蓋１はこれまでの実施形態と類似の構造でありながらいくつかの相違点を有しており、ここでそれらについて説明する。ここでは、蓋本体２と、図１０に類似であって、図１１〜図１３に示されるタイプの蓋１を有する図である図１４において最もよく確認されるように、蓋が飲料用カップ３０上にある場合に、飲料を飲むためにそこを通って飲料４０が蓋から出る、蓋本体１上に画定された飲料用開口５と、を備える飲料用カップの蓋１が示される。この蓋１は、飲料用開口５に対して隆起した飲用リム１０を蓋上に有する。この実施形態において、リム１０は、飲料が蓋１を出た後にこれを受け止めるＣの形をした縁を形成する。蓋１は、飲用の使用において、カップが飲料を飲むときの位置に保持されている場合に、飲料が飲料用開口を出た後、リムに到達する前に、使用者が飲料を視認することができるように、飲料４０が飲料用開口５を通って出ていき、蓋に沿って飲用リムに向かって流れるように構成される。参照を容易にするため、図１４において、カップ３０から出た飲料４０の水面に７３のラベルが付される。このような構成は、使用者が飲料を零す傾向を著しく減少させるため、非常に望ましい。具体的には、飲料４０が蓋１から外に流れる際に、使用者７０が飲料を、具体的には飲料の水面７３を視認することが可能なため、使用者が飲料を零すことは少ない。
【００５０】
壁状部分、具体的には飲用リム１０の内壁１３は、蓋の外側リム９に対する低位置４５に向かって下方に伸びる。この壁状部分１３は飲用リム１０の縁構造の内壁を形成し、したがって、飲用の使用において、矢印４６で示されるように（図１４を参照）、それに沿って飲料が飲用リムの上部１２に向かって流れる流動床又は水路を形成する。この実施形態において、低位置４５は偶然にも飲料用開口５に近接する位置である。これは、使用者が自身の唇を飲用リム１０の周囲に置いている場合であっても、飲料の水面又は「水位」を壁状部分１３上に確認することが可能であるということを意味する。
【００５１】
望ましくは、そしてこの実施形態において示されるように、飲料用開口は、蓋の外側リム９に対する低位置４５における蓋１の一領域に形成される。これが、流動床の形成のために利用可能な領域を増大させ、ひいては液体の流れを使用者にとって視覚的により顕著なものとする。
【００５２】
本明細書において、本発明に言及して用いられる「備える」（ｃｏｍｐｒｉｓｅｓ／ｃｏｍｐｒｉｓｉｎｇ）の語、及び「有する／含む」（ｈａｖｉｎｇ／ｉｎｃｌｕｄｉｎｇ）の語は、記載された特徴、整数、工程、又は構成要素の存在を明記するために用いられるが、１又は複数の他の特徴、整数、工程、構成要素、又はそれらの群の存在又は追加を排除するものではない。
【００５３】
明確化のために別個の実施形態の文脈の中で説明された本発明のいくつかの特徴は、単一の実施形態において組み合わされて提供されてもよいことが理解される。反対に、簡潔性のために単一の実施形態の文脈の中で説明された本発明の様々な特徴は、個別に、又は任意の適切な部分的組み合わせとして提供されてもよい。
【図１】
2014508690.tif 000003
【図２】
2014508690.tif 000004
【図３】
2014508690.tif 000005
【図４】
2014508690.tif 000006
【図５】
2014508690.tif 000007
【図６】
2014508690.tif 000008
【図７】
2014508690.tif 000009
【図８】
2014508690.tif 000010
【図９】
2014508690.tif 000011
【図１０】
2014508690.tif 000012
【図１１】
2014508690.tif 000013
【図１２】
2014508690.tif 000014
【図１３】
2014508690.tif 000015
【図１４】
2014508690.tif 000016
【国際調査報告】
2014508690.tif 000017
2014508690.tif 000018
2014508690.tif 000019